(57)【要約】      （修正有）【課題】電気ポットにおいて、ヒータの熱を可及的有効に内容器に伝達することができるようにするとともに、ヒータ温度の過度の上昇を抑制して、ヒータの寿命を長くする。【解決手段】有底筒状の外装ケースと、該外装ケース内に設けられた有底筒状の内容器３と、該内容器の底部中央側所定直径部分を上方に凹ませて内側にヒータ収納部を形成した加熱部と、該加熱部の上記ヒータ収納部内に収納され、上記加熱部を介して上記内容器内に入れられた水を加熱する面状ヒータ４Ａと、該面状ヒータを伝熱プレート２５および裏面プレート２６を介して上記ヒータ収納部内に収納固定する遮熱板２９とを備えており、上記裏面プレートの外周縁部２６ａを上記内容器の加熱部よりも外側の底部外周側下面まで延設し、該延設部を当該内容器の底部外周側下面に接触させた。【選択図】図２
2009297079.tif 000002
【特許請求の範囲】
【請求項１】
有底筒状の容器本体と、該容器本体内に設けられた有底筒状の内容器と、該内容器の底部中央側所定直径部分を上方に凹ませて内側にヒータ収納部を形成した加熱部と、該加熱部の上記ヒータ収納部内に収納され、上記加熱部を介して上記内容器内に入れられた水を加熱する面状ヒータと、該面状ヒータを伝熱プレートおよび裏面プレートを介して上記ヒータ収納部内に収納固定する遮熱板とを備えてなる電気ポットであって、上記裏面プレートの外周縁部が上記内容器の加熱部よりも外側の底部外周側下面まで延設され、該延設部を当該内容器の底部外周側下面に接触させたことを特徴とする電気ポット。
【請求項２】
裏面プレート延設部の途中には、延設部先端側に内容器底部を押圧する方向の弾性を生じさせる断面Ｕ状の曲成部が設けられていることを特徴とする請求項１記載の電気ポット。
【請求項３】
遮熱板は、断面Ｕ状の曲成部を下方から上方に押圧する状態で取り付けられていることを特徴とする請求項２記載の電気ポット。
【請求項４】
遮熱板には、温度ヒューズが取り付けられていることを特徴とする請求項１，２又は３記載の電気ポット。
【発明の詳細な説明】
【技術分野】
【０００１】
本願発明は、ヒータによる内容器の加熱効率を向上させた電気ポットの構造に関するものである。
【背景技術】
【０００２】
最近の電気ポットは、有底筒状の外装ケースと、該外装ケース内に設けられた有底筒状の内容器と、該内容器の底部中央所定直径部分を上方に凹ませて内側にヒータ収納部を形成した加熱部と、該加熱部のヒータ収納部内に収納設置され、上記内容器内に入れられた水を加熱する面状のヒータと、該面状のヒータを伝熱プレートおよびヒータ裏面プレート（裏面側カバープレート）を介して上記ヒータ収納部内に収納固定する遮熱板とを備えて構成されている（例えば特許文献１を参照）。
【０００３】
今、そのような電気ポットの内容器底部の具体的な構成の一例を図１１に示す。
【０００４】
図１１中、符号３は湯沸し又は保温用の水が入れられる内容器であり、該内容器３は、図示のように有底形状の金属製の筒体３ａよりなっている。そして、その底部は、外周側所定幅部分３ｂを除いて所定の高さ上方に突出して断面ハット形の加熱部３ｃを形成している。また、この加熱部３ｃの中央部は、さらに所定の直径範囲部分３ｄが上方に少し膨出され、その下方側には温度センサ２４を収納した所定の直径の温度センサ筒２４が上下方向に延びて設けられている。
【０００５】
そして、上記加熱部３ｃの裏面側には、同温度センサ筒２４を囲む形で円形の凹溝部よりなるヒータ収納部が形成されている。そして、該ヒータ収納部内に、伝熱性の高い金属材料よりなる、絶縁材２３でカバーされた面状の湯沸しヒータ４Ａと保温ヒータ４Ｂが、上記温度センサ筒２４に遊嵌される形で上下に積層して収納されている。
【０００６】
一方、これら湯沸しヒータ４Ａ、保温ヒータ４Ｂの下部には、順次伝熱性の高い金属材料よりなる伝熱プレート２５、同じく伝熱性の高い金属材料よりなるヒータ裏面プレート２６、バネ部材２８がそれぞれその中央部側２５ｂ，２６ｂ，２８ｂを上記温度センサ筒２４の外周に遊嵌される形で設けられ、湯沸しヒータ４Ａ、保温ヒータ４Ｂは、これら伝熱プレート２５、ヒータ裏面プレート２６、バネ部材２８を介して遮熱板２９により下方から押圧されて支持されている。遮熱板２９は、その外周縁部２９ａが、上記内容器３の底部外周側３ｂ下方まで延びていて、図示しない内容器底部外周側３ｂの裏面側に設けられている取付ステー部材にビス等で締結して固定されている。
【０００７】
すなわち、上記湯沸しヒータ４Ａおよび保温ヒータ４Ｂ（以下、単にヒータ４Ａ，４Ｂと言う）は、上記加熱部３ｃの上面部全体に対応した適切な形状と大きさを有し、上記加熱部３ｃ内側のヒータ収納部の最上部側に位置して収納され、その下部側を上記伝熱性の高い金属材料（アルミ等）よりなる伝熱プレート２５により支持されている。この伝熱プレート２５は、所望の厚さを有し、その中央部２５ｂ側を温度センサ筒２４の外周側に遊嵌状態で嵌合されているとともに、その外周縁部２５ａを下方側に筒状に折り曲げて（絞り加工して）形成されており、そのフラットな上面側を、上記バネ部材２８の外周縁部２８ａの上方側へのバネ圧を利用して上記ヒータ４Ａ，４Ｂの裏面側全面に伝熱性良く接触させているとともに、同筒状に折り曲げたテーパー面状の外周縁部２５ａを上述した断面ハット形の加熱部３ｃのテーパー面状の側面に対して伝熱性良く接触せしめられている。
【０００８】
そして、それにより上記ヒータ４Ａ，４Ｂの熱を上記加熱部３ｃの上面側および側面側に効率良く伝達する役割を果たしている。なお、符号６ａは、内容器３の底部外周側３ｂ部分に開口した電動給湯ポンプ６への湯導入口である。
【０００９】
【特許文献１】特開平８−１７１９８０号公報
【発明の開示】
【発明が解決しようとする課題】
【００１０】
上述のように、従来の構成では、伝熱プレート２５、ヒータ裏面プレート２６、バネ部材２８を介してヒータ４Ａ，４Ｂの中央部側を遮熱板２９により下方から加熱部３ｃの裏面に対して圧着支持しているだけであり、ヒータ４Ａ，４Ｂの熱が直接内容器３の底部外周側３ｂ部分にまで伝わるようになっていない。また、伝熱プレート２５はもちろん、ヒータ裏面プレート２６も内容器３の底部外周側３ｂとは直接接触していない。
【００１１】
したがって、伝熱プレート２５を介してヒータ４Ａ，４Ｂからヒータ裏面プレート２６に伝わった熱は、その中央部で遮熱板２９側に逃げるか、外周部側で内容器３の底部下方の空間部に放射されるだけであり、殆ど無駄になっていた。
【００１２】
そのため、内容器３内の水は、主として底部中央側の加熱部３ｃ部分で加熱されるだけで、外周側３ｂ部分を含めて底部全体で均一に加熱されるわけではないので、加熱効率が悪かった。また、その結果、ヒータ４Ａ，４Ｂ部分の熱が必ずしも有効に活用されていないため、内容器３底部の加熱部３ｃ壁と伝熱プレート２５、ヒータ裏面プレート２６との間に挟まれたヒータ４Ａ，４Ｂ部分の温度が過度に上昇する傾向にあり、ヒータ４Ａ，４Ｂの寿命が短かくなる問題があった。
【００１３】
この出願の発明は、このような問題を解決するためになされたもので、伝熱プレートを介してヒータを支持しているヒータ裏面プレートの外周縁部を半径方向外方に所定幅広く延設し、同延設された外周縁部を内容器の底部外周側下面に接触させることにより、伝熱プレートを介してヒータ裏面プレート側に伝わったヒータからの熱が、その外周縁部を介して内容器の底部外周側面に効率良く伝達されるようにして、同内容器３の底部外周側の加熱効率を向上させ、内容器の底部全体が均一に加熱されるようにするとともに、ヒータ部の熱を内容器側に有効に逃がすことによりヒータ部の過度の温度上昇を回避するようにした電気ポットを提供することを目的とするものである。
【課題を解決するための手段】
【００１４】
本願発明は、上記の従来の問題を確実に解決し、その目的を達成するために、次のような課題解決手段を備えて構成されている。
【００１５】
（１）  請求項１の発明
この発明は、有底筒状の容器本体と、該容器本体内に設けられた有底筒状の内容器と、該内容器の底部中央側所定直径部分を上方に凹ませて内側にヒータ収納部を形成した加熱部と、該加熱部の上記ヒータ収納部内に収納され、上記加熱部を介して上記内容器内に入れられた水を加熱する面状ヒータと、該面状ヒータを伝熱プレートおよび裏面プレートを介して上記ヒータ収納部内に収納固定する遮熱板とを備えてなる電気ポットであって、上記裏面プレートの外周縁部が上記内容器の加熱部よりも外側の底部外周側下面まで延設され、該延設部を当該内容器の底部外周側下面に接触させたことを特徴としている。
【００１６】
このような構成によると、伝熱プレートを介して裏面プレート側に伝わったヒータからの熱が、その外周縁部を介して内容器の底部外周側に効率良く伝達されるようになり、同内容器の底部外周側部分の加熱効率が向上する。その結果、内容器の底部中央側のヒータと直接対応する加熱部だけでなく、部全体が均一に加熱されるようになり、内容器内の水の加熱効率が大きく向上する。
【００１７】
また、その結果、ヒータ部の熱が有効に分散され、従来のようにヒータ部の温度が過度に上昇するようなこともなくなるので、ヒータ４Ａ，４Ｂの寿命も長くなる。
【００１８】
（２）  請求項２の発明
この発明は、上記請求項１の発明の構成において、裏面プレート延設部の途中には、延設部先端側に内容器底部を押圧する方向の弾性を生じさせる断面Ｕ状の曲成部が設けられていることを特徴としている。
【００１９】
このような構成によると、裏面プレート外周縁部の内容器の底部外周側への接触時において、同曲成部により外周縁部に対して下方から上方に押圧する押圧弾性を付与させることができ、上記延設された請求項１の発明のヒータ裏面プレート外周縁部の内容器の底部外周側への接触圧（密着度）を向上させることができる。
【００２０】
その結果、同裏面プレートを介した内容器底部外周側へのヒータ熱の伝熱性能が向上する。
【００２１】
（３）  請求項３の発明
この発明は、上記請求項２の発明の構成において、遮熱板は、断面Ｕ状の曲成部を下方から上方に押圧する状態で取り付けられていることを特徴としている。
【００２２】
このような構成によると、遮熱板によるヒータの固定時において、遮熱板により同曲成部を下方から上方に強く押圧して一層強い押圧弾性を付加させることができ、上記延設された請求項１の発明のヒータ裏面プレート外周縁部の内容器の底部外周側への接触圧（密着度）をさらに向上させることができる。
【００２３】
その結果、さらに裏面プレートを介した内容器底部外周側へのヒータ熱の伝熱性能が大きく向上する。
【００２４】
また、外周側でも支持されるため、ヒータの固定状態も良くなる。
【００２５】
（４）  請求項４の発明
この発明は、上記請求項１，２又は３の発明の構成において、遮熱板には、温度ヒューズが取り付けられていることを特徴としている。
【００２６】
このように、ヒータを伝熱プレートおよび裏面プレートを介して内容器底部裏面のヒータ収納部内に収納固定する遮熱板に対して、温度ヒューズを取り付けるようにすると、伝熱プレート、裏面プレート各々の重合部を介して遮熱板側に伝わってくるヒータ温度の上昇度に応じて速やかに温度ヒューズを溶断させることができ、ヒータ部が暴走して過度に温度が上昇した時にも応答性良く、ヒータへの電源をＯＦＦにすることができる。
【００２７】
この場合において、特に請求項３の発明の場合のように、裏面プレート延設部の途中に、延設部先端側に内容器底部を押圧する方向の弾性を生じさせる断面Ｕ状の曲成部が設けられていて、遮熱板が、同断面Ｕ状の曲成部を下方から上方に押圧する状態で取り付けられていると、同断面Ｕ状の曲成部側からも遮熱板側にヒータ熱が伝わるようになるので、さらに温度ヒューズの溶断応答性が向上する。
【発明の効果】
【００２８】
以上の結果、本願発明によると、低コストかつコンパクトな構成で、ヒータの熱を可及的有効に内容器に伝達することができ、加熱効率を向上させることができるとともにヒータ温度の過度の上昇を抑制して、ヒータの寿命を長くすることができる。
【発明を実施するための最良の形態】
【００２９】
以下、添付の図面を参照して、本願発明の電気ポットの最良の実施の形態について説明する。
【００３０】
先ず図１ないし図８には、本願発明の最良の実施の形態にかかる電気ポットおよびそのヒータ部の構成が示されている。
【００３１】
（電気ポット本体部の構成）
この実施の形態の電気ポットは、先ず図１に示すように、貯湯用の内容器３を備えた容器本体１と、該容器本体１の上部側開口部を開閉する蓋体２と、上記内容器３を湯沸し時において加熱する加熱手段である湯沸しヒータ４Ａおよび上記内容器３を保温時において加熱する加熱手段である保温ヒータ４Ｂと、上記内容器３内の湯を外部へ給湯するための給湯通路５と、ＡＣ電源が接続されている状態において上記給湯通路５を介して上記内容器３内の湯を外部に送り出す図示しない電動給湯ポンプ６とを備えて構成されている。
【００３２】
上記湯沸しヒータ４Ａおよび保温ヒータ４Ｂは、それぞれ伝熱性の高い金属材料よりなり、絶縁材２３でカバーされた面状のヒータよりなっている。
【００３３】
内容器３は、例えば１枚板構造のステンレス製の有底円筒形状の筒体３ａからなっており、その底部は、外周側所定幅部分３ｂを除いて所定の高さ上方に突出して断面ハット形の加熱部３ｃを形成している。また、この加熱部３ｃの中央部は、さらに所定の直径範囲部分３ｄが上方に断面台形状に少し膨出され、その下方側には温度センサ２４を収納した所定の直径の温度センサ筒２４が上下方向に延びて設けられている。
【００３４】
そして、同加熱部３ｃの裏面側には、同温度センサ筒２４を囲む形で円形の凹溝部よりなるヒータ収納部が形成されており、同ヒータ収納部内に、それぞれ上記温度センサ筒２４を囲む形で、上記湯沸しヒータ４Ａおよび保温ヒータ４Ｂが、伝熱プレート２５、バネ部材２８を介して遮熱板２９により下方から支持される形で設けられている。また、該内容器３の上端側開口部は、給水口３ｅに形成されている。
【００３５】
容器本体１は、底壁部１ｂを備えた合成樹脂製の円筒状ケース１ａよりなり、その上端１ｃ側周囲に設けられた合成樹脂製の環状の肩部材４を介して、内容器３を支持一体化している。
【００３６】
（蓋体の構成）
蓋体２は、合成樹脂製の上板２ａと該上板２ａに対して外周縁が結合された合成樹脂製の下板２ｂとからなっており、上記肩部材４の後部に設けられたヒンジ受け５０に対してヒンジピン６を介して、その後端２ｃ側が上下方向に開閉自在且つ着脱自在に支持されている。
【００３７】
上記上板２ａおよび下板２ｂ間の空間は、必要に応じて断熱材２ｅを充填した断熱構造体に形成されているとともに、下板２ｂの一部には、下方から上方に向けて凹んだ蒸気パイプ２１の収納部が設けられている。そして、同収納部内に収納設置された蒸気パイプ２１には、下方から上方側蒸気排出口２３に向けて相互にジグザグ構造に連通した蒸気排出通路２１ａ〜２１ｃが形成されている。そして、同蒸気排出通路２１ａ〜２１ｃ下部の蒸気導入口部には、転倒止水弁２２が設置されている。
【００３８】
また、上記蓋体２における下板２ｂの下面には、金属製の内カバー部材２ｄが固定されており、該内カバー部材２ｄの外周縁には、上記蓋体２の閉蓋時において上記内容器３の給水口３ｅの開口部上端面に圧接される耐熱ラバー製のシールパッキン２４が設けられている。
【００３９】
また、符号８は、上記上板２ａの前端部に設けられた蓋開閉レバー部分を示している。
【００４０】
上記給湯通路５の最上流端側である上記内容器３の底部３ｂ位置には、内容器３側湯導入口６ａ、給湯ポンプ側湯吸入口を介して例えば直流型の電動給湯ポンプ６が配設されており、給湯通路５の上流端においては上記湯導入口６ａを介して吸入された湯が当該電動給湯ポンプ６のポンピング作用により、その吐出口６ｂから吐出され、同給湯通路５を経て、後述する給湯バルブ１０の転倒止水弁側連結パイプ（筒状の嵌合部）１１ａに到り、同連結パイプ１１ａから転倒止水弁部、連通口部、傾斜止水弁部、吐出パイプ部等を経て外部への湯注出口１１ｂに導かれる。
【００４１】
さらに、符号７は、容器本体１の上端部側において前方に突出して設けられたノーズ部であり、その上面には、各種スイッチ類の操作面や液晶表示部の表示面を備えた操作パネルが設けられている。
【００４２】
（ヒータおよびヒータ裏面プレート部の構成）
すでに述べたように、図１０に示す従来の構成では、伝熱プレート２５、ヒータ裏面プレート２６、バネ部材２８を介してヒータ４Ａ，４Ｂの中央部側を遮熱板２９により下方から加熱部３ｃの裏面に対して圧着支持しているだけであり、ヒータ４Ａ，４Ｂの熱が直接内容器３の底部外周側３ｂ部分にまで伝わるようになっていない。また、伝熱プレート２５はもちろん、ヒータ裏面プレート２６も内容器３の底部外周側３ｂ面とは直接接触していない。
【００４３】
したがって、伝熱プレート２５を介してヒータ４Ａ，４Ｂから伝熱プレート２５を介してヒータ裏面プレート２６に伝わった熱は、その中央部で遮熱板２９側に逃げるか、外周部側で内容器３の底部下方の空間部に放射されるだけであり、殆ど無駄になっていた。
【００４４】
そのため、内容器３内の水は、主として底部中央側の加熱部３ｃ部分で加熱されるだけで、外周側３ｂ部分をも含めた底面部全体で均一に加熱されるわけではないので、加熱効率が悪かった。また、その結果、内容器３底部の加熱部３ｃ壁と伝熱プレート２５、ヒータ裏面プレート２６との間に挟まれたヒータ４Ａ，４Ｂの熱が内容器３側に移動しにくく、同部分の温度が過度に上昇する傾向にあり、ヒータ４Ａ，４Ｂの寿命が短かくなる問題があった。
【００４５】
そこで、この実施の形態では、例えば図２、図５に示すように、上記伝熱プレート２５を介してヒータ４Ａ，４Ｂを支持しているヒータ裏面プレート２６の外周縁部２６ａを押圧弾性形成用の断面Ｕ字状の曲成部３０を介して半径方向外方に所定幅広く延設し（径を拡大し）、同延設された外周縁部２６ａを内容器３の外周側底部３ｂに対して下方から上方に所定の押圧力を伴って有効に面接触させ、その上で下方側からバネ部材２８外周側の放射状に延びる複数本のバネ片２８ａ，２８ａ・・・を介して中央部を遮熱板２９で上下方向に挟み込むことにより弾圧支持するようにしている。
【００４６】
遮熱板２９は、半径方向中間位置の一部３１を下方に切り欠いて温度ヒューズ３２を取り付けているとともに、その外周縁部２９ａが、上記内容器３の底部外周側３ｂ下方まで延びていて、同延設された外周縁部２９ａに設けられた取付孔３３ｂ，３３ｂ・・・と上記内容器３の底部外周側３ｂ裏面側に設けられている取付ステー部材３３ａ，３３ａ・・・の取付孔３３ｃ，３３ｃ・・・同士を（図３および図４参照）ビス等で螺合締結して固定されるようになっている。
【００４７】
すなわち、この実施の形態の場合にも、従来の場合と同様に上記湯沸しヒータ４Ａおよび保温ヒータ４Ｂは、上記加熱部３ｃの上面部全体に対応した適切な形状と大きさを有し、上記加熱部３ｃ内側のヒータ収納部の最上部側に位置して収納され、その下部側を上記伝熱性の高いアルミ等金属材料よりなる伝熱プレート２５により支持されている。そして、この伝熱プレート２５は、所望の厚さを有し、その中央部２５ｂ側を温度センサ筒２４の外周側に遊嵌状態で嵌合されているとともに、その外周縁部２５ａを下方側に筒状に折り曲げて（絞り加工して）形成されており、そのフラットな上面側を、上記バネ部材２８の外周側複数本のバネ片２８ａ，２８ａ・・・の上方側へのバネ圧を利用して上記ヒータ４Ａ，４Ｂの裏面側全面に伝熱性良く接触させているとともに、同筒状に折り曲げたテーパー面状の外周縁２５ａを上述した断面ハット形の加熱部３ｃのテーパー面状の側面に対して伝熱性良く接触せしめられている。
【００４８】
そして、それにより上記ヒータ４Ａ，４Ｂの熱を上記加熱部３ｃの上面側および側面に効率良く伝達する。一方、この実施の形態では、従来と異なり、同伝熱プレート２５を介してヒータ４Ａ，４Ｂを支持している上記ヒータ裏面プレート２６の外周縁部２６ａを半径方向外方に所定幅広く延設し、同延設された外周縁部２６ａを内容器３の底部外周側３ｂの下面に面接触させている。
【００４９】
このような構成によると、伝熱プレート２５を介してヒータ裏面プレート２６に伝わったヒータ４Ａ，４Ｂからの熱が、その外周縁部２６ａを介して内容器３の底部外周側３ｂ面に効率良く伝達されるようになり、同内容器３の底部外周部側３ｂ面の加熱効率が向上する。その結果、例えば図６のドット表示に示すように、図７中にドット表示して示す加熱部３ｃ面に加えて、図８中にドット表示で示す外周部３ｂ面をも有効に加熱面として作用させることができるようになり、内容器３の底部３ｂ，３ｃ全体が均一に加熱されるようになり、内容器３内の水の加熱効率が向上する。
【００５０】
また、その結果、ヒータ４Ａ，４Ｂ部分の熱が有効に内容器３側に分散され、従来のようにヒータ４Ａ，４Ｂ部分の温度のみが過度に上昇するようなことがなくなり、ヒータ４Ａ，４Ｂの寿命も長くなる。
【００５１】
また、同構成では、上記ヒータ裏面プレート２６の外周縁部２６ａの延設部の途中には、同延設部の先端側部分に内容器３の底部外周側３ｂ面を押圧する方向のバネ弾性を生じさせる断面字Ｕ状の曲成部３０が設けられている。
【００５２】
このような構成によると、ヒータ裏面プレート２６外周縁部２６ａの内容器３の底部外周側３ｂ面への接触時において、同曲成部３０により外周縁部２６ａに対して下方から上方に押圧する十分な押圧弾性を付与させることができ、上記延設されたヒータ裏面プレート２６の外周縁部２６ａの内容器３の底部外周側３ｂ面への接触圧（密着度）を、より大きく向上させることができる。
【００５３】
その結果、同ヒータ裏面プレート２６を介した内容器底部外周側３ｂ面へのヒータ熱の伝熱性能が向上する。
【００５４】
また、以上の構成の場合、上記バネ部材２８の外周縁は、例えば図５に示すように、周方向に所定の角度で放射状に分割されて外周側上方に曲成されて延びる複数本のバネ片２８ａ，２８ａ・・・を形成しており、これら複数のバネ片２８ａ，２８ａ・・・により、上記ヒータ裏面プレート２６の中央部側を広い半径域で周方向の各位置で均等に押圧支持することにより、伝熱プレート２５、ヒータ４Ａ，４Ｂを加熱部３ｃの下面に押圧するようになっている。
【００５５】
したがって、例えば湯沸し時と保温時で、温度差による部品の寸法差が発生したとしても同バネ片２８ａ，２８ａ・・・の作用により、加熱部３ｃの下面と接触圧（密着度）が安定して確保される。
【００５６】
なお、図５中の４ａ〜４ｃは、ヒータ４Ａ，４Ｂの電源端子である。
【００５７】
＜変形例１＞
次に図９は、上記本願発明の最良の実施の形態の構成におけるヒータ裏面プレート２６の外周縁部２６ａの断面Ｕ字形状の曲成部３０の深さを、さらに下方側に深くすることによって、同曲成部３０の長さをさらに下方に長くし、上述した遮熱板２９によるヒータ４Ａ，４Ｂの固定時において、上記遮熱板２９の外周により同曲成部３０部分を下方から上方に強く押し上げて、より大きな押圧弾性を付加させることにより、ヒータ４Ａ，４Ｂの外周側をも一層深く押圧支持してヒータ４Ａ，４Ｂの加熱部３ｃ面との接触状態（支持状態）をさらに良好にするとともに、上述したヒータ裏面プレート２６外周縁部２６ａの内容器底部外周側３ｂ面との接触圧（密着度）を一層大きくし、さらにヒータ裏面プレート２６と遮熱板２９とを外周側でも直接接触させることにより、遮熱板２９外周側への熱の伝達度合をも高くする。
【００５８】
そして、それによって、ヒータ４Ａ，４Ｂの内容器加熱効率をより向上させるとともに、上述のように遮熱板２９の半径方向中間位置に設けられている温度ヒューズ３２へのヒータ４Ａ，４Ｂからの熱の伝達速度を速くして、ヒータ４Ａ，４Ｂ暴走時の温度ヒューズ３２の溶断応答性を高くしている。
【００５９】
このようにすると、同外周側断面Ｕ字状の曲成部３０側からも遮熱板２９側にヒータ熱が伝わるようになるので、より温度ヒューズ３２の溶断応答性が向上する。
【００６０】
＜変形例２＞
次に図１０は、上記延設された図５のヒータ裏面プレート２６の外周縁部２６ａに対して、周方向の所定角位置で複数のスリットＳ1〜Ｓｎを入れたことを特徴とするものである。その他の部分は、全て上記実施の形態のものと同様である。
【００６１】
このような構成にすると、延設部２６ａのバネ性が高くなり、押圧時の密着性が向上する。
【図面の簡単な説明】
【００６２】
【図１】本願発明の最良の実施の形態に係る電気ポット全体の中央縦断面図である。
【図２】同電気ポット底部の拡大中央縦断面図である。
【図３】同電気ポットの内容器部分の中央縦断面図（図４のＡ−Ａ断面図）である。
【図４】同電気ポットの内容器部分の底面図である。
【図５】同電気ポットの内容器底部に設けられるヒータおよび遮熱板部分の構成を示す斜視図である。
【図６】同電気ポットの内容器底部の水と対応する領域を示す図である。
【図７】同電気ポットの内容器底部のヒータに直接対応して加熱される底部中央側の加熱領域を示す図である。
【図８】同電気ポットの内容器底部のヒータに直接対応しない底部外周側の加熱領域を示す図である。
【図９】本願発明の最良の実施の形態の変形例１に係る電気ポットの底部の構成を示す中央縦断面図である。
【図１０】本願発明の最良の実施の形態の変形例２に係る電気ポットの底部の構成を示す中央縦断面図である。
【図１１】従来の電気ポットの底部の構成を示す中央縦断面図である。
【符号の説明】
【００６３】
１は容器本体、１ａは円筒状ケース、２は蓋体、３は内容器、４Ａは湯沸しヒータ、４Ｂは保温ヒータ、５は給湯通路、６は給湯ポンプ、２４は温度センサ筒、２４ａは温度センサ、２５は伝熱プレート、２６はヒータ裏面プレート、２６ａは外周縁部、２８はバネ部材、２９は遮熱板、３２は温度ヒューズ、Ｓ1〜Ｓｎはスリットである。
【図１】
2009297079.tif 000003
【図２】
2009297079.tif 000004
【図３】
2009297079.tif 000005
【図４】
2009297079.tif 000006
【図５】
2009297079.tif 000007
【図６】
2009297079.tif 000008
【図７】
2009297079.tif 000009
【図８】
2009297079.tif 000010
【図９】
2009297079.tif 000011
【図１０】
2009297079.tif 000012
【図１１】
2009297079.tif 000013